(57)【要約】      （修正有）【課題】投映映像の内容が切替わった時やシーンが変更したと同時に自動的に投映方向を変化させることが出来ない為、視聴者が臨場感を味わう事ができるものではない。すなわち、地面を映した映像を床面に、空を映した映像を上面に投映するなど、映像を投映する流れのなかで迅速に投映方向を変えることは出来なかったが、投映映像の内容に応じて投映方向を変化させる方法及び装置を提供する。【解決手段】一台の映像投映装置１０１で、コンテンツに応じた方向に映像を投映する映像投映方法であり、映像投映方法は、投映方向制御信号を受信するステップと、前記投映方向制御信号に対応する命令信号を判別するステップと、判別された命令信号を出力するステップと、前記命令信号に基づき反射板１０３を駆動するステップを含む。【選択図】図１
2011118253.tif 000002
【特許請求の範囲】
【請求項１】
投映方向制御信号を受信するステップと、
前記投映方向制御信号に対応する命令信号を判別するステップと
判別された命令信号を出力するステップと、
前記命令信号に基づき反射板を駆動するステップと、
を含むことを特徴とする映像投映方法。
【請求項２】
投映方向制御信号を受信する受信部と、
前記投映方向制御信号に対応する命令信号を判別する判別部と、
判別された命令信号を出力する命令部と、
前記命令部からの命令信号に基づき反射板を駆動する駆動部と、
を含むことを特徴とする映像投映装置。
【請求項３】
投映方向制御信号を受信する受信部と、
前記投映方向制御信号に対応する命令信号を判別する判別部と、
判別された命令信号を出力する命令部と、
前記命令部からの命令信号に基づき反射板を駆動する駆動部と、
を含み、映像投映装置が設置されることを特徴とする投映台。
【請求項４】
電子機器と映像投映装置と投映台のうち少なくとも二つの機器からなる映像投映システムであって、
電子機器と映像投映装置と投映台の各々は遠隔に配置され、遠隔送受信手段を具備すると共に、
電子機器と映像投映装置と投映台のうち少なくとも二つの機器において、投映方向制御信号を受信する受信部と、前記投映方向制御信号に対応する命令信号を判別する判別部と、判別された命令信号を出力する命令部と、前記命令部からの命令信号に基づき反射板を駆動する駆動部とを具備することを特徴とする映像投映システム。
【発明の詳細な説明】
【技術分野】
【０００１】
本発明は、一台の映像投映装置を用い、投映映像の内容に応じて投映方向を変化させる方法、装置及び投映台に関する。
【背景技術】
【０００２】
特許文献１には、反射板を用いプロジェクターの投映方向を切替える映像投映装置が記載されている。この映像投映装置においては、投光レンズの前方に、光軸に対し略４５°に傾けた反射板を配備し、該反射板を左右反転可能及び着脱可能に取り付けることにより、投光レンズの前方及び側方の方向を切り換えて映像を投映するものである。この技術を用いると、前面に投映するタイプの映像投映装置で、床や天井、背面など別の方向に設置されたスクリーンにも映像を投映する事が可能である。
【先行技術文献】
【特許文献】
【０００３】
【特許文献１】実開平３−３６２８４（平成３年４月９日公開）
【発明の概要】
【発明が解決しようとする課題】
【０００４】
特許文献１に記載されているように、反射板を用いる事で、映像投映装置が、本来投映される映像の投映方向を変える装置は周知である。しかし、その投映装置は、予め使用者が投映装置に反射板を取り付けたり、反射板を手動で切替えたりする必要がある。したがって、投映映像の内容が切替わった時やシーンが変更したと同時に自動的に投映方向を変化させることが出来ない為、視聴者が臨場感を味わう事ができるものではない。すなわち、地面を映した映像を床面に、空を映した映像を上面に投映するなど、映像を投映する流れのなかで迅速に投映方向を変えることは出来なかった。本発明はかかる課題に鑑みてなされたものであり、その目的は投映映像の内容に応じて投映方向を変化させる方法及び装置を提供することを目的とする。
【課題を解決するための手段】
【０００５】
本発明を実現するための映像投映方法は、投映方向制御信号を受信するステップと、  前記投映方向制御信号に対応する命令信号を判別するステップと、判別された命令信号を出力するステップと、前記命令信号に基づき反射板を駆動するステップを含むことを特徴とする。
【０００６】
また、本発明を実現するための映像投映装置は、投映方向制御信号を受信する受信部と、前記投映方向制御信号に対応する命令信号を判別する判別部と、判別された命令信号を出力する命令部と、前記命令部からの命令信号に基づき反射板を駆動する駆動部を含むことを特徴とする。
【０００７】
また、本発明を実現するための投映台は、投映方向制御信号を受信する受信部と、前記投映方向制御信号に対応する命令信号を判別する判別部と、判別された命令信号を出力する命令部と、前記命令部からの命令信号に基づき反射板を駆動する駆動部を含み、映像投映装置が設置されることを特徴とする。
【０００８】
また、本発明を実現するための映像投映システムは、電子機器と映像投映装置と投映台のうち少なくとも二つの機器からなる映像投映システムであって、電子機器と映像投映装置と投映台の各々は遠隔に配置され、遠隔送受信手段を具備すると共に、電子機器と映像投映装置と投映台のうち少なくとも二つの機器において、投映方向制御信号を受信する受信部と、前記投映方向制御信号に対応する命令信号を判別する判別部と、判別された命令信号を出力する命令部と、前記命令部からの命令信号に基づき反射板を駆動する駆動部とを具備することを特徴とする。
【発明の効果】
【０００９】
投映映像の内容に応じて投映方向を変化させる、映像投映方法及び映像投映装置により、多方向へ映像を投映する時に映像投映装置を複数台用意する事がなく、さらに、投映映像の内容により投映方向を変化させることにより臨場感が追及できるという効果を有する。
【図面の簡単な説明】
【００１０】
【図１】本発明の映像投映装置の概略図
【図２】本発明の映像投映装置のブロック図
【図３】本発明の処理を示したフローチャート
【図４（ａ）】投映方向制御信号を含む信号波形の例
【図４（ｂ）】投映方向制御信号を含むデータの例
【図５】制御テーブルの例
【図６】受信部、判別部、命令部、駆動部の各々が配置される箇所の組合せの例
【図７】本発明の一実施形態
【図８】本発明の一実施形態
【図９】本発明の一実施形態
【発明を実施するための形態】
【００１１】
本発明の処理を実現する為の映像投映装置、投映台、及びその方法について、以下、図面を用いて説明する。
【００１２】
〔実施形態１〕
図１は、本発明の処理を実現するための映像投映装置の概略図である。図１は、本発明の映像投映装置１０１の外観を例示したものであり、受信部１０２で投映方向制御信号を外部より受信し、その投映方向制御信号を元に映像投映装置内で処理を行い、反射板１０３を駆動し、投映方向を変化させる。投映方向制御信号を外部より受信してから反射板を駆動するまでの処理が、映像投映装置１０１内で行われる。
【００１３】
図２に、図１の映像投映装置にかかる要部構成図を示し、図３に、図２記載の各部が実施される為の処理フローを示す。映像投映装置は、投映方向制御信号２０４を受信部２０２で受信する（ステップ３０１。（以後、ステップをＳと表記する。））。次に、受信した投映方向制御信号に対応する命令信号を判別部２０５で判別する（Ｓ３０２）。判別された命令信号を命令部２０６から出力し（Ｓ３０３）、命令部からの命令信号に応じて駆動部２０７では反射板２０３を駆動する（Ｓ３０４）。
【００１４】
本発明は、投映方向の切替を行うための信号である投映方向制御信号が、少なくとも投映方向を変化させるタイミングで、予め投映映像のデータの一部に組み込まれており、そのデータを受信し、その投映方向制御信号を判別部で解析し、映像シーン・内容によって最適な反射板の位置（角度や方向）を制御する事で、投映映像の内容に応じて映像の投映方向を変化させる。例えば、スカイダイビングで上空から飛び降りるシーンでは、俳優の目線で、飛ぶ前の上空の飛行機内の映像は前面のスクリーンに投映し、ダイブ中の映像は、下方の街並みを上空から見下ろす映像を床に投映する。飛行機内の映像とダイブ中の映像の両方が前面のスクリーンに投映される場合と異なり、視聴者がダイブ中の映像を見る時は現実世界で重力がかかる方向と映像世界の重力がかかる方向が同じ為、より視聴者が臨場感を感じられるような投映表現を行う事ができる。
【００１５】
ここで、本発明の重要な構成要件である投映方向制御信号について、図４（ａ）及び図４（ｂ）を用いて説明する。図４（ａ）では、投映方向制御信号４０４はパルス信号の形態であり、投映方向制御信号を光で検知し受信部で受信する場合の信号波形が記載されている。また、図４（ｂ）には信号化された状態の二種類の投映方向制御信号（４０８及び４０９）が記載されている。このように、光を検知するのではなく、無線通信又は有線通信で送られてきたものを受信してもよい。尚、投映方向を変化させるタイミングでのみ投映方向制御信号が組み込まれている場合は、図４（ａ）や図４（ｂ）に記載されている投映方向制御信号のように、不連続な状態で投映方向制御信号が発せられる事があるが、このタイミングでしか投映方向制御信号を組み込めないわけではない。一周期毎に、投映方向制御信号を組み込み、投映方向制御信号の一つが投映方向を切替えないという意味をもつ信号である場合も含まれる。
【００１６】
また、連続した複数の周期の中の複数のパルス信号をまとめて、投映方向制御信号としても良い。この場合、図４（ａ）では、２周期分に含まれる２つのパルス信号を一つの投映方向制御信号とみなせる。このように、連続した複数の周期の中の複数のパルス信号の列から、どういった意味の投映方向制御信号であるかを読み取ってもよい。また、実際は受信状態が良好であるとは限らず、ノイズなどにより受信エラーが起こる可能性もある。こういった受信エラーの発生を防ぐ為、同じ意味を持つ投映方向制御信号が連続して複数回送信される事が望ましい。
【００１７】
また、投映方向制御信号に対応する命令信号を判別する際、制御テーブルが参照される方法を用いることが出来る。その制御テーブルの一例を図５に示す。図５の参照テーブルによれば、投映方向制御信号がパターン１であると検出された場合、これは映像を右方向へ投映するという意味の信号であり、対応する命令信号は「０００１」であると判別される。そして、判別された命令信号「０００１」が出力されると、映像の投映方向を右側へ切替える様、反射板を駆動する。
【００１８】
また、投映方向制御信号は、投映方向（上向きに投映する、下向きに投映する、右向きに投映する、など）は示さず、単に方向の切替えを行うタイミングである事を示した信号とする事も可能である。
【００１９】
〔実施形態２〕
実施形態２では、受信部、判別部、命令部及び駆動部が、全て投映台に具備されている例であり、図７に示すように駆動部で駆動する反射板７０３が、映像投映装置７０１側ではなく映像投映装置を置く投映台７１０に具備されていて、映像投映装置から投映スクリーン７１１に投映された映像の投映方向を変化させる。
【００２０】
尚、本実施形態では、投映台を新たに追加するだけで、投映映像の内容に応じて投映方向を変化させる事に対応していない映像投映装置を用いて、本発明の実施を行う事が可能になる。その為、オプションサービスとしての提供が容易になる。
【００２１】
本発明を実施するためには、上述のように、受信部、判別部、命令部、駆動部が必要であるが、それらは必ずしも全ての構成要件が映像投映装置本体内または投映台に配置されている必要は無く、一部の機能が周辺機器（投映スクリーンや電子機器など）に配置されていても構わない。受信部、判別部、駆動部、命令部、駆動部の各々が配置される箇所の組合せの例を図６に示し、以下の実施形態３から実施形態６を用いて説明する。
【００２２】
〔実施形態３〕
実施形態３では、前記受信部、判別部、命令部、駆動部の一部の機能が、映像投映装置の周辺機器である電子機器や投映スクリーンに配置された例について説明する。図８を用いて、図６の例３に示される、受信部が他の周辺機器にあり、判別部、命令部、駆動部が映像投映装置にある例を説明する。この例では受信部８０２が投映スクリーン８１１側にあり、判別部、命令部、反射板８０３を駆動する駆動部が映像投映装置８０１側にある。投映スクリーン側の受信部で投映方向制御信号を受信すると、受信した投映方向制御信号を映像投映装置に遠隔送信し、映像投映装置側の制御部、命令部、駆動部で各々の処理を行う。
【００２３】
〔実施形態４〕
実施形態４では、図８を用いて、図６の例４に示される、受信部と判別部が他の周辺機器にあり、命令部と駆動部が映像投映装置にある例を説明する。この例では受信部８０２と判別部が投映スクリーン８１１側にあり、命令部、反射板８０３を駆動する駆動部が映像投映装置８０１側にある。投映スクリーン側の受信部で投映方向制御信号を受信し、受信した投映方向制御信号を判別すると、投映方向制御信号を元にした判別後のデータを映像投映装置に遠隔送信し、映像投映装置側の命令部、駆動部で各々の処理を行う。
【００２４】
〔実施形態５〕
実施形態５では、図８を用いて、図６の例５に示される、受信部、判別部、命令部が他の周辺機器にあり、駆動部が映像投映装置にある例を説明する。この例では、受信部８０２、判別部、命令部が投映スクリーン８１１側にあり、反射板８０３を駆動する駆動部が映像投映装置８０１側にある。投映スクリーン側の受信部で投映方向制御信号を受信し、受信した投映方向制御信号を判別し、判別された投映方向制御信号に対応する命令信号を映像投映装置に遠隔送信し、映像投映装置側の駆動部で反射板を制御する処理を行う。また、反射板が投映台と連結されている場合は、図６の例６に示すように、駆動部を投映台に設置し、反射板を制御する処理を行うことも可能である。
【００２５】
〔実施形態６〕
図９に図示した実施形態６は、投映方向制御信号を、周辺機器であるユーザの手元の電子機器（図９では、眼鏡の形態）で受信し、投映スクリーン９１１に投映する場合の実施形態を図示したものである。例えば、次の３通りの方法で実現できる。第１は、図６の例３に対応する場合であり、視聴者の手元の電子機器側にある受信部９０２で投映方向制御信号を受信し、映像投映装置９０１側にある判別部、命令部、駆動部で投映方向制御信号を判別し、命令信号を出力し、反射板９０３を駆動する。第２は、図６の例４に対応する場合であり、視聴者の手元の電子機器側にある受信部９０２及び判別部で、投映方向制御信号を受信・判別し、映像投映装置９０１側にある命令部、駆動部で投映方向制御信号に対応する命令信号を出力し、反射板９０３を駆動する。第３は、図６の例５に対応する場合であり、視聴者の手元の電子機器側にある受信部９０２、判別部、命令部で、投映方向制御信号を受信・判別し命令信号を出力して、映像投映装置９０１側にある駆動部で反射板９０３を制御する。
【００２６】
尚、上述の実施形態３から実施形態６において、投映方向制御信号が投映映像の光信号の一部である場合は、周辺機器夫々に光信号を受信する受信部が必要である。一方、投映方向制御信号が無線通信又は有線通信で送信されるなど、投映方向に依存しない場合は、受信部は一つでも良い。
【００２７】
さらに、投映スクリーン側の受信部で受信した投映方向制御信号を映像投映装置側の判別部に伝送する等、信号やデータの遠隔送受信を行うためには、遠隔通信を可能にする遠隔送信手段が必要である。
【００２８】
また、上記実施形態を示した図では、映像投映装置の上部に反射板があり、前面のスクリーンへの投映と床面のスクリーンへの投映を切替える仕様について述べてきたが、本発明はこの形態に限定するものではなく、反射板の位置はレンズの下部に配置するなど、想定する投映方向に応じて適宜対応され、また、反射板は複数存在してもよい。
【産業上の利用可能性】
【００２９】
本発明による映像投映装置、投映台及び映像投映システムは、一台の映像投映装置を用い、投映映像の内容に応じて投映方向を変化させ、視聴者が臨場感を味わう事ができる映像投映装置、投映台及び投映方法に広く適用する事ができる。さらに、反射板を投光レンズの周囲に回転されるように、かつ回動可能に構成し、投映方向制御信号に応じて、前方及び上下左右に投映することも可能である。
【符号の説明】
【００３０】
１０１、２０１、７０１、８０１、９０１  映像投映装置
１０２、２０２、８０２、９０２  受信部
１０３、２０３、７０３、８０３、９０３  反射板
２０４、４０４、４０８、４０９  投映方向制御信号
２０５  判別部
２０６  命令部
２０７  駆動部
７１０  投映台
７１１、８１１、９１１  投映スクリーン  
【図１】
2011118253.tif 000003
【図２】
2011118253.tif 000004
【図３】
2011118253.tif 000005
【図４（ａ）】
2011118253.tif 000006
【図４（ｂ）】
2011118253.tif 000007
【図５】
2011118253.tif 000008
【図６】
2011118253.tif 000009
【図７】
2011118253.tif 000010
【図８】
2011118253.tif 000011
【図９】
2011118253.tif 000012